(57)【要約】【課題】把手部両端にラチェット機能を備えたレンチ部を設けた両頭ラチェットレンチにおいて、ラチェット作用方向の切り替えを手元で行うことができる工具を低コストで提供する。【解決手段】内周をリングスパナ部としたラチェットホイール２１のラチェット歯車と噛み合う爪部２２２を備えると共に、両側部分（操作部２２３）を外方に突出させて軸装した両端の揺動体２２を、両偏心位置間を作動伝達体３１で連結して連動させるようにしてなる。【選択図】図２
2011005564.tif 000002
【特許請求の範囲】
【請求項１】
棒状把手部の両端に、ラチェット機構を備えたレンチ部を設けると共に、ラチェット作用方向の切り替えを外部に突出した各々の揺動体で行う工具において、一方の揺動体の回動動作が他方の揺動体を回動させるように、両揺動体を作動伝達体で連結してなることを特徴とする両頭ラチェットレンチ。
【請求項２】
棒状把手部を、表裏板と表裏板間に把手芯体を介在させて一体化してなるカバー体で構成し、レンチ部を、内周面をボルト頭部・ナットが嵌合するリングスパナ部に形成し、外周部をラチェット歯車として前記カバー体の両端の表裏板に回転自在に組み込むラチェットホイールと、ラチェット歯車と噛合離脱する左右爪部を備えると共に、両側部分をカバー体の外周に突出させて、ラチェットホイールの基部側に軸装した揺動体と、前記揺動体の噛合爪部側をラチェット歯車方向へ回動付勢する付勢機構部とで構成し、把手芯体に収納溝部を形成して、両端を両揺動体の適宜箇所に連結した作動伝達体を、前記収納溝部に納めて、作動伝達体をカバー体に内装してなる請求項１記載の両頭ラチェットレンチ。
【請求項３】
作動伝達体を金属細杆で形成し、揺動体の偏心位置にピン孔を設けると共に、作動伝達体の先端部分を屈曲して、前記ピン孔に装着してなる請求項２記載の両頭ラチェットレンチ。
【請求項４】
ピン孔の周囲部における作動伝達体の動作範囲を凹部に形成してなる請求項３記載の両頭ラチェットレンチ。
【請求項５】
作動伝達体を、可撓性を備えた紐体で形成し、揺動体の左右偏心位置同士を連結してなる請求項２記載の両頭ラチェットレンチ。
【発明の詳細な説明】
【技術分野】
【０００１】
本発明は、把手部の両端にラチェット機構を備えたレンチ部を設けた両頭ラチェットレンチに関するものである。
【背景技術】
【０００２】
両頭ラチェットレンチは、把手部の両端に、使用対象のボルト頭部・ナット寸法の異なるリングスパナ形状のレンチ部を設けたもので、前記レンチ部にラチェット機構を備えさせたものであり、特に前記のラチェット機構が双方向対応タイプである工具が知られている。
【０００３】
具体的な構造は、特許文献１（登録実用新案３０４３１８７号公報）に示されているように、内周面をボルト頭部・ナットが嵌合するリングスパナ部に形成し、外周部をラチェット歯車としたラチェットホイールを、把手部の両端に回転自在に組み込み、ラチェットホイールの基部側に、ラチェット歯車と噛合離脱する左右爪部を備える揺動体を軸装すると共に、前記揺動体の噛合爪部側をラチェット歯車方向へ回動付勢する付勢機構を設けて構成されたもので、前記揺動体の両側部分を、把手部を形成するカバー体の外周に突出させ、この突出部（操作部）を操作することでラチェット作用方向の切り替えを行っている。
【０００４】
また特許文献２（実開平７−２０２６１号公報）には、揺動体（ラチェット爪）に、把手部に添う操作杆を連結すると共に、操作杆の基端に操作部を設けて、工具使用時に把手手元部分でラチェット作用方向の切り替えを行うことができる工具が開示されている。
【先行技術文献】
【特許文献】
【０００５】
【特許文献１】登録実用新案３０４３１８７号公報。
【特許文献２】実開平７−２０２６１号公報。
【発明の概要】
【発明が解決しようとする課題】
【０００６】
揺動体を直接操作してラチェット作用方向の切り替えを行う工具（特許文献１記載の工具）を使用して、工具の先方（レンチ部）を狭い個所に差し入れてボルト・ナットの螺合解除操作を行わなければならない場合に、切り替えに際して一旦作業対象個所から引き抜く必要があり、特に見えない様な個所のボルト頭部やナットをせっかくリングスパナ部に嵌合したのに、ラチェット作用方向切り替えのために一旦離脱させなければならない使い難さがある。
【０００７】
また手元部分でラチェット作用方向の切り替えができる従来の工具（特許文献２の工具）では、わざわざ把手部に操作杆を組み込むと共に、操作部を形成する必要があり、工具の製造コストが高くなってしまう。
【０００８】
そこで本発明は、非常に簡易な構造体を組み込むことで手元切り替え操作を可能とした新規な両頭ラチェットレンチを提案したものである。
【課題を解決するための手段】
【０００９】
本発明（請求項１）に係る両頭ラチェットレンチは、棒状把手部の両端に、ラチェット機構を備えたレンチ部を設けると共に、ラチェット作用方向の切り替えを外部に突出した各々の揺動体で行う工具において、一方の揺動体の回動動作が他方の揺動体を回動させるように、両揺動体を作動伝達体で連結してなることを特徴とするものである。
【００１０】
しかして一方のレンチ部を操作対象のボルト頭部・ナット（ナット等）に嵌合して、他方端側を把持して螺合・解除操作を行うもので、手元側のレンチ部における揺動体を操作すると、使用側の揺動体も連動し、レンチ部のラチェット作用方向が切り替わるものである。
【００１１】
また本発明（請求項２）に係る両頭ラチェットレンチは、棒状把手部を、表裏板と表裏板間に把手芯体を介在させて一体化してなるカバー体で構成し、レンチ部を、内周面をボルト頭部・ナットが嵌合するリングスパナ部に形成し、外周部をラチェット歯車として前記カバー体の両端の表裏板に回転自在に組み込むラチェットホイールと、ラチェット歯車と噛合離脱する左右爪部を備えると共に、両側部分をカバー体の外周に突出させて、ラチェットホイールの基部側に軸装した揺動体と、前記揺動体の噛合爪部側をラチェット歯車方向へ回動付勢する付勢機構部とで構成してなる公知構造のレンチにおいて、特に把手芯体に収納溝部を形成して、両端を両揺動体の適宜箇所に連結した作動伝達体を前記収納溝部に納めて、作動伝達部材をカバー体に内装してなるもので、既存構造のレンチにおいて、作動部材を内装する簡易な付加構成で、外観的に変化がなく、レンチ操作性を損なうことがなく、手元切り替え機能を有するものとした。
【発明の効果】
【００１２】
本発明の構成は上記のとおりで、両頭ラチェットレンチにおいてラチェット作用方向の切り替えをなす揺動体を互いに作動伝達体で連結することで、一方の揺動体の切り替え操作で他方の揺動体も連動して同時に切り替えられるもので、簡単な構造の付加で、手元切り替え操作が可能となるもので、より使いやすい両頭ラチェットレンチを低コストで提供できたものである。
【図面の簡単な説明】
【００１３】
【図１】本発明の第一実施形態の分解斜視図。
【図２】同一部切断平面図。
【図３】同第二実施形態の分解斜視図。
【図４】同一部切断した全体斜視図。
【発明を実施するための形態】
【００１４】
次に本発明の実施形態について説明する。図１，２は本発明の第一の実施形態で、所謂板ラチェットレンチと称されて市販されている工具に、本発明を適用した例である。
【００１５】
両頭ラチェットレンチは、棒状把手部（工具本体）を形成するカバー体１と、カバー体１の両端に形成したラチェット機構を備えたレンチ部２と、作動伝達体機構３で構成される。
【００１６】
カバー体１は、金属板製の表裏板１１，１２と、表裏板１１，１２間に介在する樹脂製の把手芯体１３と、全体の外周面を構成する薄金属板製の側枠体１４からなり、表裏板１１，１２は、両端部分に後述するラチェットホイール２１が装着される支持孔１５を形成してなる。
【００１７】
また把手心材１３は、レンチ部２の組み込み範囲以外において、表裏板１１，１２間に介在するもので、両端部に後述する付勢機構部２３の収納凹部１６を設け、側枠体１４における揺動体２２の装着位置に対応する箇所に、透窓１７を形成してなるものである。
【００１８】
レンチ部２は、ラチェットホイール２１と、揺動体２２と、付勢機構部２３で構成され、ラチェットホイール２１は、内周面をナット等が嵌合するリングスパナ部２１１に形成し、外周部をラチェット歯車２１２として、特に支持孔１５と対応する外周面は、支持孔１５と嵌合するガイド周面２１３としてなるものである。
【００１９】
尚リングスパナ部２１１は、両端２個のラチェットホイール２１では、そのナット径が異なるようにしているものであり、特に表裏に突出させて、表裏異なるナット径とし、４種対応形としても良い。
【００２０】
揺動体２２は、表裏板１１，１２間に位置し、表裏貫通装着される軸部２２１で回動自在に軸装されるもので、前記ラチェット歯車２１２と対面して、前記歯車２１２と噛合・離脱する左右の爪部２２２を備えると共に、両側部分を透窓１７から外方に突出させて操作部２２３とし、爪部２２２の形成面と反対側を山形突出面として、付勢機構部２３のボール２３１が切り替え当接するようにしているものである。
【００２１】
付勢機構部２３は、収納凹部１６に発条２３２を内置し、発条２３２の先端にボール２３１を位置させて、揺動体２２の噛合爪部側をラチェット歯車２１２の方向へ回動付勢するようにしたものである。
【００２２】
前記の構成は従前の両頭ラチェットレンチと同様で、本発明は特に作動伝達体機構３を組み込んだものである。
【００２３】
作動伝達体機構３は、金属細杆で形成した作動伝達体３１をカバー体１内に組み込むもので、作動伝達体３１は、先端を下方に屈曲して装着部３１１を形成したものである。
【００２４】
また各揺動体２２における偏心位置に、ピン孔３２を設けると共に、前記両ピン孔３２を結ぶ直線上における把手芯体１３に収納溝部３３を形成し、作動伝達体３１を前記収納溝部３３内に収納すると共に、先端の装着部３１１をピン孔３２に可動状態に差し入れ、レンチ部２と作動伝達機構３をカバー体１に組み込み、カバー体１を一体化してなるものである。
【００２５】
而して従前の両頭ラチェットレンチと同様に、一方のレンチ部２を操作対象のナット等に嵌合して、他方端側を把持してナット等の螺合・解除操作を行うもので、側方に突出した操作部２２３を指先で跳ね上げ若しくは下げて揺動体２２を回動し、噛み合う爪部２２２を切り替えることで、ラチェット作用方向の切り替えを行うものである。
【００２６】
特に作動伝達体機構３の作動伝達体３１が、両揺動体２２を偏心位置で連結しているものであるから、一方の揺動体２２を操作すると、他方の揺動体２２も連動して回動し、ラチェット作用方向が切り替わり、工具の使用中でも手元側の揺動体２２を操作することで、先方の使用中の揺動体２２も動作させることができる。
【００２７】
従って特別な操作機構を付加形成することなく、単に作動伝達体３１を組み込むことで簡単に手元側切替機構を備える工具とすることができるものである。
【００２８】
また図３乃至４は第二の実施形態を示すもので、この実施形態は、把手部の両端のレンチ部が屈曲形成されている曲板ラチェットレンチと称される工具に、本発明を適用したものである。
【００２９】
このレンチは、カバー部材１において側枠体１４を備えておらず、通常はラチェット歯車２１２が外部に露出している構成である。
【００３０】
前記レンチにおいても前記第一実施形態と同様に、作動伝達体機構３ａは、揺動体２２の偏心位置にピン孔３２を形成し、把手芯体１３に収納溝部３３を形成し、金属細杆で形成した作動伝達体３１をカバー体１内に組み込むものである。
【００３１】
特に作動伝達体３１ａは、表板１１ａの傾斜屈曲状態に合わせて両端部を傾斜屈曲させてなり、先端の装着部３１１をピン孔３２に装着するもので、レンチ部面と平行に作動伝達体（金属細杆）３１ａが動作するので、レンチ部から見た場合に傾斜面となる把手芯材１３に形成する収納溝部３３は、その動作範囲を考慮して深く形成すると共に、作動伝達体（金属細杆）３１ａの前記平行移動がスムーズになされるように、揺動体２２の上面と表板１１ａの内面を密着させ、ピン孔３２の周囲部における作動伝達体３１ａの動作範囲を扇状の凹部３４に形成してなるものである。
【００３２】
尚文中説明のない図中の符号は、第一実施形態の符号の部材と同一の部材を示すものである。
【００３３】
而して前記の第一実施形態の工具と同様に、レンチ部を使用してナット等の螺合・解除を行うもので、手元側の揺動体２２を操作することで、先方の揺動体２２を動作させて、ラチェット作用方向の切り替えを行うことができるものである。
【００３４】
また前記の各実施形態は、作動伝達体３１，３１ａに金属細杆を採用しているものであが、特に前記の第二実施形態の工具のように作動伝達体が一直線状でない場合には、作動伝達体に可撓性を備えた紐体を採用しても良く、この場合には作動伝達体を単一部材とせずに、揺動体の左右偏心位置同士を連結する２本の紐体を採用することで、レンチ部の屈曲が大きい工具に対しても、両揺動体を連動させることができる。
【符号の説明】
【００３５】
１        カバー体（工具本体・把手部）
１１，１１ａ      表板
１２，１２ａ      裏板
１３      把手芯体
１４      側枠体
１５      支持孔
１６      収納凹部
１７      透窓
２        レンチ部
２１      ラチェットホイール
２１１    リングスパナ部
２１２    ラチェット歯車
２１３    ガイド周面
２２      揺動体
２２１    軸部
２２２    爪部
２２３    操作部
２３      付勢機構部
２３１    ボール
２３２    発条
３，３ａ        作動伝達体機構
３１，３１ａ      作動伝達体
３１１    装着部
３２      ピン孔
３３      収納溝部
３４      凹部  
【図１】
2011005564.tif 000003
【図２】
2011005564.tif 000004
【図３】
2011005564.tif 000005
【図４】
2011005564.tif 000006